(57)【要約】【課題】この発明は、お客様を呼んでの家庭パーティ等で披露される、手品ボックスの提供にある。【解決手段】宝箱型等の任意の外観を呈し、本体部に対して開閉可能な蓋体部から構成されるボックスにおいて、任意の外面の一部に隠し開閉扉部を支軸を中心に常時開放側へ回動するように配備し、その底端面に係合溝を設け、これに対応して係合する先端係合部を備えた着磁性バネ板を本体部に構成される空洞部に配備し、この着磁性バネ板を接近する磁石で吸着回動し、先端係合部を隠し開閉扉部の係合溝より外して隠し開閉扉部を開放することを特徴とする手品ボックス。【選択図】        図１
2004230044.tif 000002
【特許請求の範囲】
【請求項１】
宝箱型等の任意の外観を呈し、本体部に対して開閉可能な蓋体部から構成されるボックスにおいて、任意の外面の一部に隠し開閉扉部を、支軸を中心に常時開放側へ回動するように配備し、その底端面に係合溝を設け、これに対応して係合する先端係合部を備えた着磁性バネ板を本体部に構成される空洞部に配備し、この着磁性バネ板を接近する磁石で吸着回動し、先端係合部を隠し開閉扉部の係合溝より外して隠し開閉扉部を開放することを特徴とする手品ボックス。
【発明の詳細な説明】
【０００１】
【発明が属する技術分野】
この発明は、お客様を呼んでの家庭パーティ、その他仲間内での小さなパーティ等で演技される手品ボックスに関するものである。
【０００２】
【従来の技術】
従来、透明ボックスであって、この中にコイン、お菓子、小さなおもちゃ等を入れ、道具は一切使用せず、手だけで短時間内に箱を開けて中身を取り出すパズルボックスが知られている。
【０００３】
【発明が解決しようとする課題】
前記従来の項で述べたように、パズルボックスは、道具を用いないで開放することを条件とするので、パズルボックスを強く動揺させたり、あるいは外側を強く叩く行為にでることがあり、それらの弾みで蓋が開きあるいは引き出しが出てしまい、パズルの機能を達しない欠点があった。
【０００４】
この発明は、実演者が特定の道具を使用することにより確実な手品演技が行える手品ボックスを提供しようとなされたものである。
【０００５】
【課題を解決するための手段】
宝箱型等の任意の外観を呈し、本体部に対して開閉可能な蓋体部から構成されるボックスにおいて、任意の外面の一部に  隠し開閉扉部を、支軸を中心に常時開放側へ回動するように配備し、その底端面に係合溝を設け、これに対応して係合する先端係合部を備えた着磁性バネ板を本体部に構成される空洞部に配備し、この着磁性バネ板を接近する磁石で吸着回動し、先端係合部を隠し開閉扉部の係合溝より外して隠し開閉扉部を開放することを特徴とする手品ボックスにある。
【０００６】
【発明の実施の形態】
宝箱型の外観を呈し、本体部に対して蝶番により連結し、本体部の上部開口縁を下部開口縁が連接して開閉する蓋体部から構成し、前記本体部の正面部の外面と、蓋体部の正面部の外面とには、閉鎖蝶番を配備し、閉鎖状態で錠前の錠かんを貫通し、本体部に対して蓋体部をロックできるように構成し、本体部の左側壁部の一部を、隠し開閉扉部として、別体に構成すると共に、上部を支軸により本体部に外方へ回動して開閉可能に設け、本体部の内部は、中底板を上底に設けて底板部との間に空洞部を設け、前記隠し開閉扉部の左側端縁と右側端縁は手品ボックスの宝箱型の左側帯金模様の内縁と一致し、また、同じく、隠れ開閉扉の底縁は、底板部の底部帯金模様の上縁と一致して夫々隠し開閉扉部の外縁をカモフラージュし、前記隠し開閉扉部の底端面には、係合溝を設け、底板部の上面にセットした着磁性バネ板の先端係合部を係合し、係止状態に保持するように設け、前記隠し開閉扉部の下端内縁を弧状面に設け、前記隠し開閉扉部の内壁面は、空洞部にセットされた押しバネが連接し、開放へ回動するように付勢するように設けてなる手品ボックス。
【０００７】
【実施例】
以下、この発明の手品ボックス１を図面に示す実施例により説明すると、図１および図２に示すように、宝箱型の外観を呈し、本体部１ａに対して蝶番２、２により連結し、本体部１ａの上部開口縁１ａ１を下部開口縁１ｂ１が連接して開閉する蓋体部１ｂから構成される。
【０００８】
前記本体部１ａの正面部１ａ２の外面と、蓋体部１ｂの正面部１ｂ２の外面とには、固定受環部３ａと開閉板部３ｂとからなる閉鎖蝶番３を配備し、閉鎖状態で固定受環部３ａに錠前４の錠かん４ａを貫通し、本体部１ａに対して蓋体部１ｂをロックできるように構成される。
【０００９】
次に、図３〜図６に示すように、本体部１ａの左側壁部１ａ３の一部を、隠し開閉扉部５として、別体に構成すると共に、上部を支軸６、６により本体部１ａに外方へ回動して開閉可能に設け、本体部１ａの内部は、中底板７を上底に設けて底板部１ａ４との間に空洞部８を設けている。
【００１０】
前記隠し開閉扉部５の左側端縁５ａ１と右側端縁５ａ２は、手品ボックス１の宝箱型の左側帯金模様９ａの内縁９ａ１と一致し、また、同じく、隠し開閉扉部５の底縁５ｂは、底板部１ａ４の底部帯金模様９ｂの上縁９ｂ１と一致して夫々隠し開閉扉部５の外縁をカモフラージュしている。
【００１１】
前記隠し開閉扉部５の底端面５ｂには、係合溝５ｂ１を設け、底板部１ａ４の上面にセットした着磁性バネ板１０の先端係合部１０ａを係合し、係止状態に保持するように設けている。
【００１２】
前記隠し開閉扉部５の下端内縁５ｂ２を弧状面とし、開いた隠し開閉扉部５を押圧して回動させたとき、先端係合部１０ａを押し下げて移動し、その内壁面５ｃが中底板７に突合したとき、自動的に先端係合部１０ａが隠し開閉扉部５の係合溝５ｂ１に係合するように設けている。
【００１３】
前記隠し開閉扉部５の内壁面５ｃは、空洞部８にセットされた押しバネ１１が連接し、隠し開閉扉部５を常時開放へ回動するように付勢している。
【００１４】
この発明の手品ボックス１は、前述のように構成されるから、図３に示すように、蓋体部１ｂを本体部１ａに対して開け、本本部１ａにコイン、お札、時計などを入れて貰う。次に、図１に示すように、蓋体部１ｂを閉め、さらに、閉鎖蝶番３を閉め、錠前４の錠かん４ａを固定受環部３ａに貫通してロックする。ここで手品ボックス１に、例えば、ハンカチーフを被せ、ハンカチの下に手を入れて手品ボックス１を浮かせ、例えば、指環１２に仕込んだ磁石１２ａを底板部１ａ４の底面に近づけると、磁石１２ａは、着磁性バネ板１０を吸着して下方へ回動し、隠し開閉扉部５の係合溝５ｂ１より係合を外し、隠し開閉扉部５は、押しバネ１１の作用で支軸６、６を中心に回動し、開放する。
【００１５】
そこで、手品ボックス１を傾け、あるいは指を差入れて内部の収蔵品を取り出すことができ、取り出した後は、隠し開閉扉部５を押しバネ１１に抗して押し戻すと、自動的たロックがかかって隠し開閉扉部５は、元の閉鎖状態に復帰させることができる。
【００１６】
ここで、ハンカチーフを手品ボックス１から取上げ、例えば、収蔵品と共にポケットにしまう。そして現れた手品ボックス１の錠前４を、鍵１３を使用して開け、錠かん４ａを閉鎖蝶番３から外して蓋体部１ｂを展開して開けると、本体部１ａから先刻のコイン、お札、時計がなくなっているので吃驚するわけである。
【００１７】
次に、前記の反対順序で、手品ボックス１の中に収蔵品を戻しても、また、ポケットから取り出して返してもよいものである。
【００１８】
【発明の効果】
この発明の手品ボックスは、以上のようになるから、通常の状態では、隠し開閉扉部の存在を見破られることがなく、演技時には、手探り状態において容易に隠し開閉扉部を開け、また、閉じることができ、手品ボックスとして趣向に富むものである。
【００１９】
よって、ホームパーティ等での余興用の娯楽用具として効果のあるものである。
【図面の簡単な説明】
【図１】この発明の手品ボックスの上方からの外観斜視図である。
【図２】同じく、下方からの外観斜視図である。
【図３】同じく、蓋体部を展開し、ボックス本体部の内部を見せた状態の斜視図である。
【図４】同じく、ボックス本体部における隠し開閉扉部およびその開錠と鎖錠機構を示す断面説明図である。
【図５】同じく、ボックス本体部における隠し開閉扉部およびその開錠と鎖錠機構を示す一部切り欠き内底図である。
【図６】同じく、隠し開閉扉部の開錠操作状況を示す一部切り欠き説明斜視図である。
【符号の説明】
１  手品ボックス
１ａ  本体部
１ａ１  上部開口縁
１ａ２  正面部
１ａ３  左側壁部
１ａ４底板部
１ｂ    蓋体部
１ｂ１  下部開口縁
１ｂ２  正面部
２  蝶番
３  閉鎖蝶番
３ａ  固定受環部
３ｂ  開閉板部
４  錠前
４ａ  錠かん
５  隠し開閉扉部
５ａ１  左側端縁
５ａ２  右側端縁
５ｂ  底縁
５ｂ  底端面
５ｂ１  係合溝
５ｂ２  下端内縁
５ｃ  内壁面
６  支軸
７  中底板
８  空洞部
９ａ  左側帯金模様
９ａ１  内縁
９ｂ  底部帯金模様
９ｂ１  上縁
１０  着磁性バネ板
１０ａ  先端係合部
１１  押しバネ
１２  指輪
１２ａ  磁石
１３  鍵
【図１】
2004230044.tif 000003
【図２】
2004230044.tif 000004
【図３】
2004230044.tif 000005
【図４】
2004230044.tif 000006
【図５】
2004230044.tif 000007
【図６】
2004230044.tif 000008